【手続補正書】
【提出日】平成21年11月6日(2009.11.6)
【手続補正１】
【補正対象書類名】特許請求の範囲
【補正対象項目名】全文
【補正方法】変更
【補正の内容】
【特許請求の範囲】
【請求項１】
複数の種別のキーを備え、該キーに対する操作をユーザから受けつける入力手段と、
前記ユーザが前記入力手段を操作するための画面を表示する表示手段と、
前記入力手段において操作されたキーの種別に応じて、少なくとも一部に同一の情報を有する複数の画面を、前記表示手段に切り替えて表示させる表示制御手段とを備え、
前記表示制御手段は、
前記複数の画面のうち、前記ユーザに前記複数の種別のキーのうち、いずれかの種別のキーによる操作を行わせるための画面を前記表示手段に表示させている際に、前記いずれかの種別のキー以外の他の種別のキーによる操作を受けつけた場合に、前記ユーザに前記他の種別のキーによる操作を行わせるための他の画面に切り替えることを特徴とする表示制御装置。
【請求項２】
前記表示制御手段は、少なくともテレビ放送される番組の情報が、複数のチャンネルについてチャンネル毎に放送時間帯の順に並べて表示される第１の画面と、テレビ放送される番組の情報が、単一のチャンネルについて放送時間帯の順に並べて表示される第２の画面との間で、画面の切り替えを行うことを特徴とする請求項１に記載の表示制御装置。
【請求項３】
前記表示制御手段は、
前記複数の種別のキーのうち第１の種別のキーによる操作に対応する前記第１の画面を前記表示手段に表示させている際に、前記複数の種別のキーのうち第２の種別のキーによる操作を受けつけ、かつ、該第２の種別のキーによる操作の直前に前記第１の種別のキーのうち第１のキーまたは第２のキーの操作を受けつけた場合に、前記第１の画面を、前記第２の種別のキーによる操作に対応する前記第２の画面に切り替え、
前記第１の画面を前記表示手段に表示させている際に、前記第２の種別のキーによる操作を受けつけ、かつ、該第２の種別のキーによる操作の直前に前記第１の種別のキーのうち第３のキーまたは第４のキーの操作を受けつけた場合に、前記第１の画面を、テレビ放送される番組の情報が、単一の時間帯で複数のチャンネルにおいて放送される番組について並べて表示される第３の画面に切り替えることを特徴とする請求項２に記載の表示制御装置。
【請求項４】
前記表示制御手段は、
前記第１の画面及び前記第２の画面において、選択された番組を識別表示させ、
前記第１の画面を前記表示手段に表示させている際に、前記第２の種別のキーによる操作を受けつけ、かつ、該第２の種別のキーによる操作の直前に前記第１の種別のキーのうち前記第１のキーの操作を受けつけた場合に、該第２の種別のキーの操作を受けつけた際に前記識別表示が行われている番組が番組表示の中央に位置する前記第２の画面に切り替え、
前記第１の画面を前記表示手段に表示させている際に、前記第２の種別のキーによる操作を受けつけ、かつ、該第２の種別のキーによる操作の直前に前記第１の種別のキーのうち前記第２のキーの操作を受けつけた場合に、該第２の種別のキーの操作を受けつけた際に前記識別表示が行われている番組が番組表示の先頭に位置する前記第２の画面に切り替える
ことを特徴とする請求項３に記載の表示制御装置。
【請求項５】
前記表示制御手段は、
前記第１の画面及び前記第２の画面において、選択された番組を識別表示させ、
前記第１の画面を前記表示手段に表示させている際に、前記第２の種別のキーによる操作を受けつけ、かつ、該第２の種別のキーによる操作の直前に前記第１の種別のキーのうち前記第３のキーの操作を受けつけた場合に、該第２の種別のキーの操作を受けつけた際に前記識別表示が行われている番組が番組表示の中央に位置する前記第３の画面に切り替え、
前記第１の画面を前記表示手段に表示させている際に、前記第２の種別のキーによる操作を受けつけ、かつ、該第２の種別のキーによる操作の直前に前記第１の種別のキーのうち前記第４のキーの操作を受けつけた場合に、該第２の種別のキーの操作を受けつけた際に前記識別表示が行われている番組が番組表示の先頭に位置する前記第３の画面に切り替える
ことを特徴とする請求項３に記載の表示制御装置。
【請求項６】
前記第２の画面及び前記第３の画面では、前記入力手段における前記第２の種別のキーの配置と対応するように前記番組の情報が並べて表示されることを特徴とする請求項３に記載の表示制御装置。
【請求項７】
前記表示制御手段は、
前記第２の画面を前記表示手段に表示させている際に、前記第１の種別のキーによる操作を受けつけ、かつ、該第１の種別のキーによる操作の直前に前記第２の種別のキーの操作を受けつけた場合に、前記第２の画面を、受け付けた該第２の種別のキーの種類に応じたチャンネルを含む前記第１の画面に切り替える
ことを特徴とする請求項３に記載の表示制御装置。
【請求項８】
複数の種別のキーを備える入力手段が、該キーに対する操作をユーザから受けつける入力工程と、
表示手段が、前記ユーザが前記入力手段を操作するための画面を表示する表示工程と、
表示制御手段が、前記入力工程において操作を受け付けたキーの種別に応じて、少なくとも一部に同一の情報を有する複数の画面を、前記表示手段に切り替えて表示させる表示制御工程と
を備える表示制御方法であって、
前記表示制御工程では、
前記複数の画面のうち、前記ユーザに前記複数の種別のキーのうち、いずれかの種別のキーによる操作を行わせるための画面を前記表示手段に表示させている際に、前記いずれかの種別のキー以外の他の種別のキーによる操作を受けつけた場合に、前記ユーザに前記他の種別のキーによる操作を行わせるための他の画面に切り替えることを特徴とする表示制御方法。
【請求項９】
前記表示制御工程では、少なくともテレビ放送される番組の情報が、複数のチャンネルについてチャンネル毎に放送時間帯の順に並べて表示される第１の画面と、テレビ放送される番組の情報が、単一のチャンネルについて放送時間帯の順に並べて表示される第２の画面との間で画面の切り替えを行うことを特徴とする請求項８に記載の表示制御方法。
【請求項１０】
前記表示制御工程では、
前記複数の種別のキーのうち第１の種別のキーによる操作に対応する前記第１の画面を前記表示手段に表示させている際に、前記複数の種別のキーのうち第２の種別のキーによる操作を受けつけ、かつ、該第２の種別のキーによる操作の直前に前記第１の種別のキーのうち第１のキーまたは第２のキーの操作を受けつけた場合に、前記第１の画面を、前記第２の種別のキーによる操作に対応する前記第２の画面に切り替え、
前記第１の画面を前記表示手段に表示させている際に、前記第２の種別のキーによる操作を受けつけ、かつ、該第２の種別のキーによる操作の直前に前記第１の種別のキーのうち第３のキーまたは第４のキーの操作を受けつけた場合に、前記第１の画面を、テレビ放送される番組の情報が、単一の時間帯で複数のチャンネルにおいて放送される番組について並べて表示される第３の画面に切り替えることを特徴とする請求項９に記載の表示制御方法。
【請求項１１】
前記表示制御工程では、
前記第１の画面及び前記第２の画面において、選択された番組を識別表示させ、
前記第１の画面を前記表示手段に表示させている際に、前記第２の種別のキーによる操作を受けつけ、かつ、該第２の種別のキーによる操作の直前に前記第１の種別のキーのうち前記第１のキーの操作を受けつけた場合に、該第２の種別のキーの操作を受けつけた際に前記識別表示が行われている番組が番組表示の中央に位置する前記第２の画面に切り替え、
前記第１の画面を前記表示手段に表示させている際に、前記第２の種別のキーによる操作を受けつけ、かつ、該第２の種別のキーによる操作の直前に前記第１の種別のキーのうち前記第２のキーの操作を受けつけた場合に、該第２の種別のキーの操作を受けつけた際に前記識別表示が行われている番組が番組表示の先頭に位置する前記第２の画面に切り替える
ことを特徴とする請求項１０に記載の表示制御方法。
【請求項１２】
前記表示制御工程では、
前記第１の画面及び前記第２の画面において、選択された番組を識別表示させ、
前記第１の画面を前記表示手段に表示させている際に、前記第２の種別のキーによる操作を受けつけ、かつ、該第２の種別のキーによる操作の直前に前記第１の種別のキーのうち前記第３のキーの操作を受けつけた場合に、該第２の種別のキーの操作を受けつけた際に前記識別表示が行われている番組が番組表示の中央に位置する前記第３の画面に切り替え、
前記第１の画面を前記表示手段に表示させている際に、前記第２の種別のキーによる操作を受けつけ、かつ、該第２の種別のキーによる操作の直前に前記第１の種別のキーのうち前記第４のキーの操作を受けつけた場合に、該第２の種別のキーの操作を受けつけた際に前記識別表示が行われている番組が番組表示の先頭に位置する前記第３の画面に切り替える
ことを特徴とする請求項１０に記載の表示制御方法。
【請求項１３】
前記第２の画面及び前記第３の画面では、前記入力手段における前記第２の種別のキーの配置と対応するように前記番組の情報が並べて表示されることを特徴とする請求項１０に記載の表示制御方法。
【請求項１４】
前記表示制御工程では、
前記第２の画面を前記表示手段に表示させている際に、前記第１の種別のキーによる操作を受けつけ、かつ、該第１の種別のキーによる操作の直前に前記第２の種別のキーの操作を受けつけた場合に、前記第２の画面を、受け付けた該第２の種別のキーの種類に応じたチャンネルを含む前記第１の画面に切り替える
ことを特徴とする請求項１０に記載の表示制御方法。
【請求項１５】
コンピュータを請求項１乃至７のいずれか１項に記載の各手段を有する表示制御装置として機能させるためのコンピュータプログラム。
【請求項１６】
請求項１５に記載のコンピュータプログラムを格納した、コンピュータで読み取り可能な記憶媒体。
【手続補正２】
【補正対象書類名】明細書
【補正対象項目名】発明の名称
【補正方法】変更
【補正の内容】
【発明の名称】表示制御装置及び表示制御方法、コンピュータプログラム、記憶媒体
【手続補正３】
【補正対象書類名】明細書
【補正対象項目名】０００１
【補正方法】変更
【補正の内容】
【０００１】
本発明は、表示制御装置及び表示制御方法、コンピュータプログラム、記憶媒体に関する。
【手続補正４】
【補正対象書類名】明細書
【補正対象項目名】００１１
【補正方法】変更
【補正の内容】
【００１１】
上記課題を解決するための本発明は、表示制御装置であって、
複数の種別のキーを備え、該キーに対する操作をユーザから受けつける入力手段と、
前記ユーザが前記入力手段を操作するための画面を表示する表示手段と、
前記入力手段において操作されたキーの種別に応じて、少なくとも一部に同一の情報を有する複数の画面を、前記表示手段に切り替えて表示させる表示制御手段とを備え、
前記表示制御手段は、
前記複数の画面のうち、前記ユーザに前記複数の種別のキーのうち、いずれかの種別のキーによる操作を行わせるための画面を前記表示手段に表示させている際に、前記いずれかの種別のキー以外の他の種別のキーによる操作を受けつけた場合に、前記ユーザに前記他の種別のキーによる操作を行わせるための他の画面に切り替えることを特徴とする。
【手続補正５】
【補正対象書類名】明細書
【補正対象項目名】００４１
【補正方法】変更
【補正の内容】
【００４１】
図７において、ステップＳ７０１では、直前のキー情報に含まれるキー種別８０１が、「カーソルキー」であるか否かを判定する。もし、「カーソルキー」でない場合には（ステップＳ７０１において「ＮＯ」）、ステップＳ７０２に移行する。ステップＳ７０２では、更に、直前のキー情報に含まれるキー種別８０１が、「数字キー」であるか否かを判定する。もし、「数字キー」である場合には（ステップＳ７０２において「ＹＥＳ」）、ステップＳ７０３に移行する。一方、「数字キー」でない場合には（ステップＳ７０２において「ＮＯ」）、そのまま処理を終了する。なお、ステップＳ７０１で、キー種別８０１が「カーソルキー」である場合には（ステップＳ７０１において「ＹＥＳ」）、ステップＳ７０４に移行する。
【手続補正６】
【補正対象書類名】明細書
【補正対象項目名】００５１
【補正方法】変更
【補正の内容】
【００５１】
なお、領域１００２に示される各番組は、図３の電子番組表表示画面３００において、数字キー２２０が操作された際に、カーソル３０９が位置していた番組枠３０８の番組が、番組表示される領域１００２の中央に位置するように決定される。該中央の位置とは、数字キー２２５で選択可能となる各番組枠１００３の位置を意味する。即ち、図１０は、画面３００において、「６ｃｈ」の「１２：００」に放送される「ニュース」にカーソル３０９が位置する場合に、数字キー２２０が操作されたときの同一時間帯番組選択画面の一例を示している。
【手続補正７】
【補正対象書類名】明細書
【補正対象項目名】００５６
【補正方法】変更
【補正の内容】
【００５６】
図１１において、ステップＳ１１０１では、直前のキー情報に含まれるキー種別８０１が、「カーソルキー」であるか否かを判定する。もし、「カーソルキー」でない場合には（ステップＳ１１０１において「ＮＯ」）、ステップＳ１１０２に移行する。ステップＳ１１０２では、更に、直前のキー情報に含まれるキー種別８０１が、「数字キー」であるか否かを判定する。もし、「数字キー」である場合には（ステップＳ１１０２において「ＹＥＳ」）、ステップＳ１１０３に移行する。一方、「数字キー」でない場合には（ステップＳ１１０２において「ＮＯ」）、そのまま処理を終了する。
【手続補正８】
【補正対象書類名】明細書
【補正対象項目名】００５９
【補正方法】変更
【補正の内容】
【００５９】
ステップＳ１１０４では、表示ＵＩとして、図４に示すような同一チャンネル番組選択画面４００を選択し、対応する画面を表示部１０３に表示して終了する。また、ステップＳ１１０５では、表示ＵＩとして、図３に示すような番組表表示画面３００を選択し、対応する画面を表示部１０３に表示して終了する。さらに、ステップＳ１１０６では、表示ＵＩとして、図１０に示すような同一時間帯番組選択画面１０００を選択し、対応する画面を表示部１０３に表示して終了する。なお図８の場合、直前のキーのキー種別８０１が「カーソルキー」であるので、ステップＳ１１０５に移行して、図３に示すような番組表表示画面３００が表示されることとなる。
【手続補正９】
【補正対象書類名】明細書
【補正対象項目名】００７６
【補正方法】変更
【補正の内容】
【００７６】
なお、図３、図４及び図１０の画面については、第１或いは第２の実施形態で説明したので、本実施形態における説明は省略する。
【手続補正１０】
【補正対象書類名】明細書
【補正対象項目名】００７９
【補正方法】変更
【補正の内容】
【００７９】
図１５において、ステップＳ１５０１では、直前のキー情報に含まれるキー種別８０１が、「カーソルキー」であるか否かを判定する。もし、「カーソルキー」でない場合には（ステップＳ１５０１において「ＮＯ」）、ステップＳ１５０２に移行する。ステップＳ１５０２では、更に、直前のキー情報に含まれるキー種別８０１が、「数字キー」であるか否かを判定する。もし、「数字キー」である場合には（ステップＳ１５０２において「ＹＥＳ」）、ステップＳ１５０３に移行する。一方、「数字キー」でない場合には（ステップＳ１５０２において「ＮＯ」）、そのまま処理を終了する。
【手続補正１１】
【補正対象書類名】明細書
【補正対象項目名】００８７
【補正方法】変更
【補正の内容】
【００８７】
なお図８の場合、直前のキーのキー種別８０１が「カーソルキー」であるので、ステップＳ１５０７に移行して、図３に示すような番組表表示画面３００が表示されることとなる。
【手続補正１２】
【補正対象書類名】明細書
【補正対象項目名】０１０３
【補正方法】変更
【補正の内容】
【０１０３】
図２０において、ステップＳ２００１では、直前のキー情報に含まれるキー種別８０１が、「カーソルキー」であるか否かを判定する。もし、「カーソルキー」でない場合には（ステップＳ２００１において「ＮＯ」）、ステップＳ２００２に移行する。ステップＳ２００２からステップＳ２０１０までの処理は、図１５のステップＳ１５０２からＳ１５０６及びＳ１５０８からＳ１５１１までの処理と同様であるので、本実施形態における説明は省略する。
【手続補正１３】
【補正対象書類名】明細書
【補正対象項目名】０１０９
【補正方法】変更
【補正の内容】
【０１０９】
また、上述の実施形態では、「直前のキー情報」と「２つ前のキー情報」を利用しているが、利用する操作履歴や、キー操作回数はこれらに限定されるものではない。例えば、「カーソルキーの左右方向キーを３回押下したとき」や、「数字キーの１、２、３キーを順番に押したとき」のようにしてもよい。